(57)【特許請求の範囲】
【請求項１】
カラオケ楽曲に対応した歌詞や背景画からなる第１映像信号及び前記第１映像信号以外の第２映像信号に基づいて映像を表示するように構成されたカラオケ装置において、
前記カラオケ楽曲に対応した歌詞や背景画からなる第１映像信号を出力する第１映像信号出力手段と、
前記演奏中のカラオケ楽曲に関連する楽曲を選択するための選曲映像の表示を指示する関連楽曲表示指示手段と、
前記関連楽曲表示指示手段の指示により、演奏中のカラオケ楽曲の歌手名、作詞家名、作曲家名等のデータに基づいて、演奏中の楽曲の歌手の持ち歌等の選曲映像からなる第２映像信号を出力する第２映像信号出力手段と、
前記第１映像信号又は第２映像信号に基づいて表示を行うと共に、前記関連楽曲表示指示手段の指示により、前記第２映像信号を表示する映像信号表示手段と
を備えたことを特徴とするカラオケ装置。
【請求項２】
カラオケ楽曲に対応した歌詞や背景画からなる第１映像信号及び前記第１映像信号以外の第２映像信号に基づいて映像を表示する複数の映像表示装置を備えたカラオケ装置において、
前記カラオケ楽曲に対応した歌詞や背景画からなる第１映像信号を出力する第１映像信号出力手段と、
前記演奏中のカラオケ楽曲に関連する楽曲を選択するための選曲映像を選択した映像表示装置に表示することを指示する関連楽曲表示指示手段と、
前記関連楽曲表示指示手段の指示により、演奏中のカラオケ楽曲の歌手名、作詞家名、作曲家名等のデータに基づいて、演奏中の楽曲の歌手の持ち歌等の選曲映像からなる第２映像信号を出力する第２映像信号出力手段と、
前記第１映像信号又は第２映像信号に基づいて表示を行うと共に、前記関連楽曲表示指示手段の指示により、選択された映像表示装置に前記第２映像信号を表示する映像信号表示手段と
を備えたことを特徴とするカラオケ装置。
【発明の詳細な説明】
【０００１】
【発明の属する技術分野】
本発明は、カラオケ装置に係り、更に詳しくは、歌詞や背景画からなる映像、及びカラオケ楽曲を選曲するための情報やコマーシャルなどの映像を選択的に切り換えて表示するカラオケ装置に関する。
【０００２】
【従来の技術】
従来、この種のカラオケ装置では、歌い手の歌唱中は、歌詞や背景画からなる映像をモニターＴＶなどの映像表示装置に表示し、歌唱中以外は、歌い手が次のカラオケ楽曲を選曲するための曲情報やコマーシャルなどの映像を自動的に切り換えて表示するものは周知である。
【０００３】
また最近では、ワイドＴＶの普及に伴い、映像表示装置としてこのワイドＴＶを採用することにより、歌い手の歌唱中であっても、リモコンなどの操作によって選択的に映像表示を切り換えて、例えば、画面の左半分には歌詞や背景画からなる映像を、また右半分にはカラオケ楽曲情報など歌唱中の楽曲とは無関係な映像を表示できるものも登場しており、比較的大きなカラオケスナックなどは勿論のこと小さなカラオケ店でも、マルチ画面表示可能なワイドＴＶを複数台備えたカラオケ装置を導入する傾向にある。
【０００４】
このカラオケ装置の特長は、歌い手が歌唱中であっても、映像表示を選択的に切り換えて、歌唱中のカラオケ楽曲とは無関係な映像（例えば、選曲のための映像）を表示可能にしたことにあり、歌い手以外の者は、この選曲情報を基にして、次に歌うべき楽曲を選曲するのであるが、選曲者の心理としては、現在歌唱中の楽曲に関連した楽曲（例えば歌手、作詞家、作曲家又は楽曲の季節やジャンルなどに関連した楽曲）を選曲したいという欲求にかられることが多々ある。
【０００５】
【発明が解決しようとする課題】
しかしながら、歌い手以外の者であって選曲中の者は、例えば歌手が誰であるのか不明な場合があり、歌唱中の楽曲に関連した楽曲を選曲したいにも拘わらず、選曲できないという問題点があった。
本発明は、上記の問題点を解決する為になされたものであり、歌い手が歌唱中の楽曲に関連した楽曲を容易に選曲することが可能なカラオケ装置を提供することを目的とする。
【０００６】
【課題を解決するための手段】
請求項１に係る本発明のカラオケ装置は、上記の目的を達成する為に、カラオケ楽曲に対応した歌詞や背景画からなる第１映像信号及び前記第１映像信号以外の第２映像信号に基づいて映像を表示するように構成されたカラオケ装置において、前記カラオケ楽曲に対応した歌詞や背景画からなる第１映像信号を出力する第１映像信号出力手段と、前記演奏中のカラオケ楽曲に関連する楽曲を選択するための選曲映像の表示を指示する関連楽曲表示指示手段と、前記関連楽曲表示指示手段の指示により、演奏中のカラオケ楽曲の歌手名、作詞家名、作曲家名等のデータに基づいて、演奏中の楽曲の歌手の持ち歌等の選曲映像からなる第２映像信号を出力する第２映像信号出力手段と、前記第１映像信号又は第２映像信号に基づいて表示を行うと共に、前記関連楽曲表示指示手段の指示により、前記第２映像信号を表示する映像信号表示手段とを備えたことを特徴とする。
【０００７】
請求項２に係る本発明のカラオケ装置は、上記の目的を達成する為に、カラオケ楽曲に対応した歌詞や背景画からなる第１映像信号及び前記第１映像信号以外の第２映像信号に基づいて映像を表示する複数の映像表示装置を備えたカラオケ装置において、前記カラオケ楽曲に対応した歌詞や背景画からなる第１映像信号を出力する第１映像信号出力手段と、前記演奏中のカラオケ楽曲に関連する楽曲を選択するための選曲映像を選択した映像表示装置に表示することを指示する関連楽曲表示指示手段と、前記関連楽曲表示指示手段の指示により、演奏中のカラオケ楽曲の歌手名、作詞家名、作曲家名等のデータに基づいて、演奏中の楽曲の歌手の持ち歌等の選曲映像からなる第２映像信号を出力する第２映像信号出力手段と、前記第１映像信号又は第２映像信号に基づいて表示を行うと共に、前記関連楽曲表示指示手段の指示により、選択された映像表示装置に前記第２映像信号を表示する映像信号表示手段とを備えたことを特徴とする。
【０００８】
【実施の形態】
つぎに、本発明の実施の形態を、図面と共に詳細に説明する。
図１は、本発明に係るカラオケ装置の構成を示すブロック図であって、通信カラオケ装置に適用した場合の基本構成を示している。また、カラオケ装置１は、同図中外側破線内で示される。
【０００９】
７は、ＣＰＵ部であり、カラオケ装置１の全体を制御するものであって、マイクロプロセッサの他に、制御プログラムを格納するためのＲＯＭ７ａ及び制御に必要な複数のフラグ領域を有しデータ等を一時的に格納するＲＡＭ７ｂなどで構成されており、各種の入出力装置の制御、メモリー管理及びデータ処理などを行う。
【００１０】
１２は、操作部であり、カラオケ装置１の各種状態を設定する各種キー、スイッチ及びリモコン（図示せず）で構成される。
１３は、表示部であり、カラオケ装置１の各種状態を設定する為に必要な情報を操作者に表示するＬＣＤやＬＥＤなどで構成される。
５は、モデムであり、電話回線などのアナログ通信回線を経由してホストコンピュータから送信される音楽データをデジタル信号に変換する。この音楽データは、カラオケ楽曲を再生するために必要なデータであって制御データ及び演奏データで構成される。制御データは、例えば、カラオケ楽曲のサビの開始クロック数や終了クロック数などを示す情報で構成され、また演奏データは、ＭＩＤＩ規格に基づいてコード化されたＭＩＤＩデータである演奏音楽データと文字情報、色替情報及びジャンル情報などからなる演奏曲の歌詞を示す歌詞映像データで構成される。
【００１１】
６は、主記憶装置であり、ハードディスク、半導体メモリー、ＣＤ−ＲＯＭ、ＤＶＤ−ＲＯＭやＤＶＤ−ＲＡＭなど書き換え可能な記憶媒体及び読み取り専用の記憶媒体で構成され、ＣＰＵ部７の制御の下に、モデム５で取り込んだ音楽データを格納する。通常、音楽データは、主記憶装置６の記憶容量を極力減らさない為に、データ圧縮された状態で格納されている。また、この音楽データは、カラオケ装置１の使用者のリクエストによって取り込まれるだけでなく、夜間などのカラオケ装置１の使用頻度の少ない時間帯に自動的に取り込まれる。
【００１２】
１４は、演奏データ記憶部であり、一般的にはハードディスクや半導体メモリーなどの書き換え及び高速アクセス可能な記憶媒体で構成され、ＣＰＵ部７の制御の下に、主記憶装置６から読み出された音楽データをデータ解凍した状態で記憶する。
８は、ＭＩＤＩ音源部であり、ＣＰＵ部７によって、演奏データ記憶部１４に格納された音楽データ中のＭＩＤＩデータが供給され、このＭＩＤＩデータを電子楽器の機能によって演奏音楽信号として出力するものである。
【００１３】
９は、スーパーインポーズ部であり、ＣＰＵ部７によって、演奏データ記憶部１４に格納された音楽データを検索して得られた歌詞映像データ内の文字情報や色替情報などが供給される。また、スーパーインポーズ部９は、ＣＰＵ部７の指示によって外部映像再生装置２から供給される映像信号に、演奏される曲の歌詞を示す歌詞映像データに基づいた歌詞映像を合成して、後述する映像信号編集部１５に出力する。
【００１４】
この外部映像再生装置２は、広く普及しているＶＴＲ、ビデオＣＤプレーヤ、ＬＤプレーヤ、また最近では、ＭＰＥＧ（Ｍｏｖｉｎｇ  Ｐｉｃｔｕｒｅ  Ｅｌｅｍｅｎｔ  Ｇｒｏｕｐ）プレーヤやＤＶＤ（Ｄｉｇｉｔａｌ  Ｖｉｄｅｏ  Ｄｉｓｋ）プレーヤなどであり、記録媒体であるビデオテープや各種ディスクに記録されている映像データから映像信号を再生して出力する。
【００１５】
１５は、映像信号編集部であり、ＣＰＵ部７の制御の下に、スーパーインポーズ部９から入力された映像信号に選曲情報やコマーシャルなどの各種映像信号を合成し、複数の異なる映像信号を後述する映像表示部の各映像表示装置に独立して出力することができる。例えば、この合成された映像信号は、スーパーインポーズ部９から入力された映像信号そのままであったり、画面の左半分が歌詞や背景画などのカラオケ演奏に関連する映像で、右半分が選曲情報などの映像であったり、また、画面全体が、カラオケ演奏とは全く無関係の映像であったりする。
【００１６】
３は、映像表示部であり、最近広く普及しているワイドＴＶやモニターＴＶなどの複数の映像を複数のウインドウに同時に表示可能な表示装置である。また、映像表示部３は、複数の映像表示装置１〜Ｎで構成されており、各映像表示装置は、映像信号編集部１５から入力される複数の映像信号に基づいた映像を同時に表示する。
【００１７】
１０は、ミキサ／アンプ部であり、ＭＩＤＩ音源部８から出力された演奏音楽信号と、マイク４によって取り込まれた歌い手の歌声の信号とを合成及び増幅してスピーカ１１に出力することによって、演奏音楽及び歌い手の歌声を可聴音として再生する。
つぎに、上述のように構成された本発明に係るカラオケ装置の動作について説明する。
【００１８】
操作者が、例えば、表示部１３に表示される情報を見ながら、操作部１２に含まれるリモコンを操作して演奏する曲の曲番号を入力することによって選曲を行うと、ＣＰＵ部７は、その入力された演奏曲の曲番号データをＲＡＭ７ｂに記憶する。通常、ＣＰＵ部７は、ＲＡＭ７ｂに記憶する曲番号データの登録順序に従って演奏曲を再生するが、説明を簡略化するために、この演奏曲の登録以前には、何も登録されていないと仮定する。
【００１９】
ＣＰＵ部７は、ＲＡＭ７ｂを常に検索しており、再生すべき演奏曲があるか否かを判断するが、この場合には曲番号データが１曲だけ登録されているので、直ちに演奏曲の再生動作に移行する。
ＣＰＵ部７は、ＲＡＭ７ｂに記憶する曲番号データに基づいて、主記憶装置６が格納する音楽データの中からその曲番号に該当する音楽データを検索し、演奏に必要なＭＩＤＩデータと演奏する曲の歌詞データ中の文字情報、色替情報及びジャンル情報などを入手して、演奏データ記憶部１４に記憶する。
【００２０】
そして、ＣＰＵ部７は、演奏データ記憶部１４に取り込んだＭＩＤＩデータに基づいて、ＭＩＤＩ音源部８を制御することによって、曲の演奏に必要な演奏音楽信号を再生し、その演奏音楽信号をミキサ／アンプ部１０に出力する。
ミキサ／アンプ部１０は、この演奏信号とマイク４から入力される歌い手の音声信号とを合成してスピーカ１１に出力することによって、演奏曲と歌声を可聴音として再生する。
【００２１】
またＣＰＵ部７は、音楽データ中のジャンル情報に基づいて、外部映像再生装置２を制御して、楽曲のジャンルに応じた背景映像信号をスーパーインポーズ部９に出力させるとともに、文字情報及び色替情報に基づいて、歌詞映像データをスーパーインポーズ部９に出力すると、スーパーインポーズ部９は、背景映像信号に歌詞映像データに基づいた歌詞映像を合成して映像信号編集部１５へ出力する。
【００２２】
映像信号編集部１５は、ＣＰＵ部７の制御の下に、スーパーインポーズ部９から入力された背景映像及び歌詞映像からなる映像信号（以下「カラオケ関連映像」ともいう）を、通常そのまま映像表示部３の全ての映像表示装置１〜Ｎに出力することによって、同じカラオケ関連映像を同時に表示（以下「通常表示」という）させる。
【００２３】
この時、ＣＰＵ部７は、操作部１２から表示関連命令が入力されたか否かを常に監視している。表示関連命令は、表示変更命令、表示固定命令及び関連楽曲表示命令などである。表示変更命令は、各映像表示装置の１つの装置が表示しているカラオケ関連映像から選曲関連映像などの他の映像に表示変更させる命令であり、表示固定命令は、映像表示装置の１つをカラオケ関連映像のみ表示するように表示固定させる命令であるが、これらの命令は本発明と直接関係しないので、説明を省略する。
【００２４】
関連楽曲表示命令は、各映像表示装置の１つの装置が表示しているカラオケ関連映像から、現在演奏中の楽曲に関連する楽曲を選曲するための映像に表示変更させる命令であり、映像表示装置を指定するデータ、及び、歌手名、作詞家名、作曲家名を指定するデータなどで構成されている。
ＣＰＵ部７は、通常表示の状態で、例えば映像表示装置１の映像を表示変更させる関連楽曲表示命令を受けると、その命令の各データに基づいて、映像表示装置１だけをカラオケ関連映像の表示状態から、例えば演奏中の楽曲の歌手の持ち歌の選曲映像を表示する状態に変更する。また、この表示変更は全ての映像表示装置を個々に独立して行うことが可能である。
【００２５】
更に、ＣＰＵ部７は、カラオケ演奏が終了した状態でも、直前に演奏したカラオケ楽曲を記憶しているので、演奏終了後に関連楽曲表示命令を受けても、上記の選曲映像を表示する状態に変更することが可能である。
【００２６】
【発明の効果】
以上説明した様に、本発明に係るカラオケ装置によれば、演奏中のカラオケ楽曲に関連した楽曲（例えば、その楽曲を持ち歌とする歌手に関連した楽曲）を、演奏中又は演奏後に、選曲映像として表示するので、選曲者は、つぎに歌う曲を容易に選曲することが可能となる。
【図面の簡単な説明】
【図１】本発明に係るカラオケ装置の構成を示すブロック図である。
【符号の説明】
１        カラオケ装置
２        外部映像再生装置
３        映像表示部
６        主記憶装置
７        ＣＰＵ部
７ａ      ＲＯＭ
７ｂ      ＲＡＭ
８        ＭＩＤＩ音源部
９        スーパーインポーズ部
１０      ミキサ／アンプ部
１２      操作部
１３      表示部
１４      演奏データ記憶部
１５      映像信号編集部
【図１】
0003639387.tif 000002